(57)【要約】【課題】  柄部に対する鋸刃の取付角度を迅速に変更できる鋸を提供する。【解決手段】    柄部の保持用孔より小さい取付用孔と、柄部の係合部に対して鋸刃が回動自在となるように係合部に係合され、かつ係合部と前記取付用孔との距離が増減する方向に摺動自在となるように係合部に係合される被係合部とを有する鋸刃と、柄部の保持用孔に回動自在に嵌合する保持用突起と、前記保持用突起上であってその中心位置から偏った位置に設けられ、前記鋸刃の取付用孔に回動自在に嵌合する角度変更用突起とを有する取付部材と、を設けた鋸とする。鋸刃は被係合部と取付用孔とで保持されており、取付部材の回動により取付用孔の位置が変化するため、鋸刃は係合部を中心として回動し、柄部に対する鋸刃の取付角度が変化する。【選択図】  図１
2005313470.tif 000002
【特許請求の範囲】
【請求項１】
後端部に設けられる取付用孔と、前記取付用孔から離隔した位置に設けられる被係合部とを有する鋸刃と、
前記鋸刃の取付用孔に対応する位置に設けられる保持用孔と、前記鋸刃の被係合部に係合する係合部とを有し、鋸刃を保持する柄部と、
前記柄部の保持用孔と前記鋸刃の取付用孔とを貫通し、鋸刃を柄部に対して回動自在に取り付けるとともに、柄部を締め付ける取付部材と、
を有する鋸において、
前記柄部の保持用孔より小さい取付用孔と、前記係合部に対して鋸刃が回動自在となるように係合部に係合され、かつ係合部と前記取付用孔との距離が増減する方向に摺動自在となるように係合部に係合される被係合部とを有する鋸刃と、
前記柄部の保持用孔に回動自在に嵌合する保持用突起と、前記保持用突起上であってその中心位置から偏った位置に設けられ、前記鋸刃の取付用孔に回動自在に嵌合する角度変更用突起とを有する取付部材と、
を有することを特徴とする鋸。
【請求項２】
保持用孔の形状が円形である柄部と、
取付用孔の形状が前記保持用孔より小径の円形である鋸刃と、
保持用突起の断面形状が円形であり、角度変更用突起の断面形状が前記保持用突起の断面形状より小径の円形である取付部材と、
を有することを特徴とする請求項１に記載の鋸。
【請求項３】
保持用孔に対する取付用孔の移動方向が、保持用孔の中心と係合部とを結ぶ直線に対して直交する方向を含むことを特徴とする請求項１から２のいずれか１項に記載の鋸。
【請求項４】
取付用孔から離隔した位置に取付用孔の方向に切り欠かれたスリット状の被係合部を設けた鋸刃と、
前記被係合部の幅より細い柱状の係合部を設けた柄部と、
を有することを特徴とする請求項１から３のいずれか１項に記載の鋸。
【発明の詳細な説明】
【技術分野】
【０００１】
本発明は、果樹の枝や木材等の被切断対象部材に用いる鋸に関する。
【背景技術】
【０００２】
鋸を用いて被切断対象部材を切断する場合、鋸が切れ難くなることがある。このような場合に被切断対象部材に対する鋸刃の当り角度を少し変えることで鋸刃の食い込みが良くなり、切れ易くなることが経験上知られている。このため、使用者の使い勝手、被切断対象部材の種別などに応じて柄部に対する鋸刃の取付角度を変更できる鋸が知られている。
【０００３】
前記柄部に対する鋸刃２の取付角度を変更できる鋸として、
柄部に縦方向のスリットが形成され、前記スリットに鋸刃を挿入するとともに、柄部に穿設された透孔とこれに合致する鋸刃の係合溝部にネジを挿通して鋸刃を締結する鋸であって、
前記透孔は柄部の中心線上に形成される透孔と、それから所定の距離で離間して柄部の端末側において前記中心線から外れて形成される透孔との一対をなし、前記係合溝部は前記透孔と合致する一対のＵ字形の溝であり、その一方は前記柄部の中心線と同じ方向へ形成され、他方は鋸刃の峰部方向へ所定の角度で傾斜して形成された鋸が知られている（例えば特許文献１。）。
【０００４】
また、鋸刃が柄部に取付けられた鋸であって、
前記鋸刃に取付用孔を形成する一方、上記柄部には前記取付用孔を介して鋸刃を緩め操作可能に締付ける締付け部材を設け、前記取付用孔は柄部に対する鋸刃の角度が任意設定できるよう上下対称の長孔状に形成された鋸が知られている（例えば特許文献２。）。
【０００５】
前記特許文献１に記載された鋸では、取付角度を変更する場合は、まず鋸刃を締め付けているネジを緩めて柄部と鋸刃とを一旦分離する。次に柄部の天部と地部を逆にして鋸刃を挿入する。そして最後にネジを締めて鋸刃を締め付ける。
【０００６】
また、前記特許文献２に記載された鋸では、取付角度を変更する場合は、まず締付け部材を緩める。次に柄部に対する鋸刃の位置を取付用孔に沿って相対変位させる。そして最後に締付け部材を締めて鋸刃を締め付ける。
【特許文献１】特開平１０−２４４４１７号公報（第４頁、図６）
【特許文献２】特開２００２−６７００２号公報（第２頁、図１）
【発明の開示】
【発明が解決しようとする課題】
【０００７】
しかし、前記特許文献１に記載された鋸では、ネジを緩め、柄部と鋸刃とを一旦分離し、柄部の天部と地部を逆にして鋸刃を挿入し、ネジを締め付ける手順を順次行なう必要があり、取付角度を迅速に変更することが困難である。
【０００８】
また、前記特許文献２に記載された鋸では、締付け部材を緩め、柄部に対する鋸刃の位置を取付用孔に沿って相対変位させ、締付け部材を締め付ける手順を順次行なう必要があり、従来技術に係る鋸においても取付角度を迅速に変更することが困難である。
【０００９】
従って、従来の鋸では、柄部に対する鋸刃の取付角度を迅速に変更することができない点に問題がある。
【００１０】
本発明は、前記の問題点に鑑みてなされたものであって、柄部に対する鋸刃の取付角度を迅速に変更することができる鋸を提供することを目的とする。
【課題を解決するための手段】
【００１１】
前記目的を達成するため、請求項１に記載の発明では、
後端部に設けられる取付用孔と、前記取付用孔から離隔した位置に設けられる被係合部とを有する鋸刃と、
前記鋸刃の取付用孔に対応する位置に設けられる保持用孔と、前記鋸刃の被係合部に係合する係合部とを有し、鋸刃を保持する柄部と、
前記柄部の保持用孔と前記鋸刃の取付用孔とを貫通し、鋸刃を柄部に対して回動自在に取り付けるとともに、柄部を締め付ける取付部材と、
を有する鋸において、
前記柄部の保持用孔より小さい取付用孔と、前記係合部に対して鋸刃が回動自在となるように係合部に係合され、かつ係合部と前記取付用孔との距離が増減する方向に摺動自在となるように係合部に係合される被係合部とを有する鋸刃と、
前記柄部の保持用孔に回動自在に嵌合する保持用突起と、前記保持用突起上であってその中心位置から偏った位置に設けられ、前記鋸刃の取付用孔に回動自在に嵌合する角度変更用突起とを有する取付部材と、
を有することとした。
【００１２】
請求項２に記載の発明では、請求項１に記載の発明において、
保持用孔の形状が円形である柄部と、
取付用孔の形状が前記保持用孔より小径の円形である鋸刃と、
保持用突起の断面形状が円形であり、角度変更用突起の断面形状が前記保持用突起の断面形状より小径の円形である取付部材と、
を有することとした。
【００１３】
請求項３に記載の発明では、請求項１から２のいずれか１項に記載の発明において、
保持用孔に対する取付用孔の移動方向が、保持用孔の中心と係合部とを結ぶ直線に対して直交する方向を含むこととした。
【００１４】
請求項４に記載の発明では、請求項１から３のいずれか１項に記載の発明において、
取付用孔から離隔した位置に取付用孔の方向に切り欠かれたスリット状の被係合部を設けた鋸刃と、
前記被係合部の幅より細い柱状の係合部を設けた柄部と、
を有することとした。
【００１５】
（定義）
回動自在とは、３６０度以上の角度で回転が可能の場合と、３６０度未満の角度で回転が可能の場合とを含む概念である。また、回動の方向は、正転方向と逆転方向の両方を含む。
【００１６】
鋸刃の取付角度とは、柄部と鋸刃とがなす角度をいう（図１参照。）。
【００１７】
（作用）
従って、請求項１に記載の発明では、取付部材を回動操作すると、取付部材に設けられた保持用突起及び角度変更用突起が回動する。前記角度変更用突起は保持用突起の中心から偏った位置に設けられているため、取付部材の回動により角度変更用突起の位置は柄部の保持用孔に対して移動する。また、角度変更用突起は鋸刃の取付用孔に嵌合している。鋸刃は係合部に回動自在に係合しており、鋸刃は係合部に摺動自在に係合している。このため、鋸刃の取付用孔は角度変更用突起に従属して柄部の保持用孔に対して移動する。従って、取付用孔の位置が変化すると、鋸刃は係合部を中心として回動する。
【００１８】
また、請求項１に記載の発明では、鋸刃に外力が作用した場合は、鋸刃の取付角度を変化させる力が発生する（例えば、鋸刃を被切断対象部材に当てて切断する場合は、取付角度を減じる方向の外力が作用する。）。鋸刃の取付角度を変化させる力は、係合部及び取付部材に作用する。このうち取付部材に作用する力は取付部材を回動させるモーメントを生じさせる。しかし、角度変更用突起に作用する力は、作用線が取付部材の回転軸である保持用突起の中心付近を通るため、取付部材を回動させるモーメントは小さい。また、取付部材を回動させることができる程度に取付部材を締め付けた状態とすることにより、取付部材と柄部との間に摩擦力が生じて、前記モーメントを打ち消す作用を生じる。
【００１９】
請求項２に記載の鋸によれば、前記柄部の保持用孔の形状が円形であり、前記取付部材の保持用突起の断面形状が円形であるため、保持用孔に保持用突起は回動自在に嵌合する。また、前記鋸刃の取付用孔の形状が円形であり、前記取付部材の角度変更用突起の断面形状が円形であるため、取付用孔に角度変更用突起は回動自在に嵌合する。角度変更用突起の断面形状は前記保持用突起の断面形状より小径の円形であり、前記角度変更用突起は保持用突起の中心から偏った位置に設けられているため、取付部材の回動により角度変更用突起の位置は柄部の保持用孔に対して移動する。また、取付用孔の形状は前記保持用孔より小径の円形であり、取付用孔と角度変更用突起とは嵌合するため、鋸刃の取付用孔は角度変更用突起に従属して柄部の保持用孔に対して移動する。従って、取付用孔の位置が変化すると、鋸刃は係合部を中心として回動することとなる。
【００２０】
また、請求項２に記載の鋸によれば、請求項１に記載の鋸と同様に、鋸刃に外力が作用した場合は、鋸刃の取付角度を変化させる力が発生する（例えば、鋸刃を被切断対象部材に当てて切断する場合は、取付角度を減じる方向の外力が作用する。）。鋸刃の取付角度を変化させる力は、係合部及び取付部材に作用する。このうち取付部材に作用する力は取付部材を回動させるモーメントを生じさせる。しかし、角度変更用突起に作用する力は、作用線が取付部材の回転軸である保持用突起の中心付近を通るため、取付部材を回動させるモーメントは小さい。また、取付部材を回動させることができる程度に取付部材を締め付けた状態とすることにより、取付部材と柄部との間に摩擦力が生じて、前記モーメントを打ち消す作用を生じる。
【００２１】
請求項３に記載の発明によれば、取付部材を回動操作すると、鋸刃の取付用孔は柄部の保持用孔に対して移動する。保持用孔に対する取付用孔の移動は略円弧状の軌跡を描くが（図１０参照。）、移動方向が保持用孔の中心と係合部とを結ぶ直線に対して直交する方向の場合に、係合部に対する取付用孔の回転角度の変化率が大きくなる。従って、取付部材の回動操作に対する鋸刃の取付角度の変化率が大きくなる。
【００２２】
請求項４に記載の発明によれば、スリット状の被係合部に柱状の係合部が係合し、係合部は被係合部の幅より細いため、前記係合部に対して鋸刃は回動自在となり、また、係合部と取付用孔との距離が増減する方向に鋸刃は摺動自在となる。鋸刃は係合部と取付用孔との距離を変化させながら、係合部に対して回動可能である。
【発明の効果】
【００２３】
請求項１から４に記載の発明では、鋸刃は被係合部と取付用孔とで保持されており、取付部材の回動により取付用孔の位置が変化するため、鋸刃は係合部を中心として回動し、柄部に対する鋸刃の取付角度を変化させることができる。
【００２４】
また、請求項１から４に記載の発明では、鋸刃に作用する外力は、取付部材を回動させる回転モーメントを僅かしか発生させず、また、取付部材と柄部との間の摩擦力により、前記回転モーメントが打ち消される。従って、取付部材を回動させることができる程度に取付部材を締め付けることにより、柄部に対する鋸刃の取付角度を一定に保つことができる。また、角度変更の度に取付部材を緩めたり、締め付けたりする操作が不要であるため、迅速に鋸刃の取付角度を変更することができる。
【００２５】
請求項３に記載の発明によれば、保持用孔に対する取付用孔の移動方向が、保持用孔の中心と係合部とを結ぶ直線に対して直交する方向を含むため、係合部に対する取付用孔の回転角度の変化率が大きくなる。従って、取付部材の回動操作に対する鋸刃の取付角度の変化率が大きくなり、鋸刃の取付角度を迅速に変更することができる。
【００２６】
請求項４に記載の発明によれば、鋸刃は係合部と取付用孔との距離を変化させながら、係合部に対して回動可能である。従って、取付部材を回動させると、鋸刃は係合部を中心として回動し、柄部に対する鋸刃の取付角度を変化させることができる。
【発明を実施するための最良の形態】
【００２７】
本発明を具体化した実施形態について図１から図１２に従って説明する。以下の説明では前後方向は、鋸刃側を前、柄部側を後として説明する。
【実施例】
【００２８】
本発明の実施例に係る鋸１は、図１に示すように鋸刃２、柄部３及び取付部材４を有する。図２に示すように、前記鋸刃２の後端側は柄部３に保持される部分である。鋸刃２の後端側には、取付用孔２１と被係合部２２が設けられる。前記取付用孔２１は後記取付部材４の角度変更用突起４４が嵌合する孔である。取付用孔２１は後記柄部３の保持用孔３２の領域内で移動できるように、保持用孔３２より小とする。本実施例に係る鋸刃２の取付用孔２１は円形であり、直径は約８ｍｍである。
【００２９】
前記鋸刃２の被係合部２２は後記柄部３の係合部３３が係合する部分である。前記被係合部２２は鋸刃２の後端側の図示上方であって、前記取付用孔２１から離隔した位置に設けられる。被係合部２２の形状は前記取付用孔２１の方向に向けて切り欠かれたスリット状である。
【００３０】
前記柄部３は鋸刃２の後端部分を保持する部分である。図３に示すように、柄部３の前端部には１対の保持板３１が設けられる。保持板３１は鋸刃２を挿入する間隔を確保して対向して設けられる（図６参照）。柄部３としての保持板３１にはそれぞれ保持用孔３２が設けられる。前記保持用孔３２は後記取付部材４の保持用突起４３が嵌合する孔である。保持用孔３２は前記鋸刃２の取付用孔２１より大とする。本実施例に係る柄部３の保持用孔３２は円形であり、直径は約１０ｍｍである。後記取付部材４が設けられる保持用孔３２の周囲には、取付部材４との摩擦を軽減するための小さい突起が複数設けられる（図示省略）。
【００３１】
前記柄部３には、係合部３３が設けられる。係合部３３は前記鋸刃２の被係合部２２に係合して鋸刃２を保持する部分である。係合部３３は前記被係合部２２に対して係合離脱自在に設けられる。係合部３３はスリット状の被係合部２２の幅より細い円柱形状である（図６参照。）。係合部３３は後記係合部操作体３４に取付られている。
【００３２】
前記係合部操作体３４は係合部３３と鋸刃２の被係合部２２との係合離脱を操作する部分である。係合部操作体３４は断面コ字形で、前記１対の保持板３１に跨るように設けられる（図６参照。）。係合部操作体３４は、前記１対の保持板３１を貫通する支点部材３５によって回動自在に取付られる。前記係合部３３は支点部材３５の前側に取付られる。支点部材３５の後側には弾性部材としてのバネ部材３６が圧縮状態で収容される。従って前記バネ部材３６により係合部３３は鋸刃２の被係合部２２に付勢された状態で係合する。
【００３３】
取付部材４は前記柄部３としての保持板３１の保持用孔３２と前記鋸刃２の取付用孔２１とを貫通し、鋸刃２を柄部３に対して回動自在に取り付けるとともに、柄部３を締め付ける部材である。取付部材４は取付部材主体４１、ボルト部材４７、座金５０を有する。
【００３４】
図４及び図５に示すように、取付部材４のうち、取付部材主体４１は基体４２、保持用突起４３、角度変更用突起４４、回動操作部４５、雌ネジ部４６を有している。前記保持用突起４３は前記基体４２の一側部に設けられる（図５参照。）。保持用突起４３は前記柄部３としての保持板３１に設けられた保持用孔３２に回動自在に嵌合する。本実施例の保持用突起４３は断面形状が円形であり、直径は約１０ｍｍである。保持用突起４３の突出量は、保持用孔３２に嵌合した場合に挟持される鋸刃２に当接しない突出量とする。すなわち、１対の保持板３１間に形成される鋸刃２を挿入する間隔内に突出しない突出量とする。
【００３５】
前記角度変更用突起４４は保持用突起４３上（図５において図示左側）に設けられる。角度変更用突起４４は鋸刃２に設けられた取付用孔２１に回動自在に嵌合する。また、角度変更用突起４４は前記保持板３１の保持用孔３２の領域内を移動し得る大きさである。本実施例の角度変更用突起４４は断面形状が円形であり、角度変更用突起４４の断面の円形は保持用突起４３の断面の円形より小とする。断面の直径は約８ｍｍである。角度変更用突起４４の中心は保持用突起４３の中心から偏心させる。角度変更用突起４４の中心は保持用突起４３の中心に対して約１ｍｍ偏心している。図４において、保持用突起４３の図示下縁部と角度変更用突起４４の図示下縁部とは略一致している。角度変更用突起４４の中央部には、ボルト部材４７の雄ネジ部４９に対応した雌ネジ部４６が設けられる。前記基体４２には取付部材主体４１を手指で操作するための回動操作部４５が延設される。本実施例では回動操作部４５が延設される方向と角度変更用突起４４を偏心させる方向とを一致させている。
【００３６】
取付部材４のうち、ボルト部材４７は前記取付部材主体４１に螺合し、取付部材主体４１とともに柄部３としての保持板３１を締め付ける部材である。図６に示すように、ボルト部材４７の頭部４８は、手指で締め付けることができる大きさに形成されており、工具や硬貨等を用いて簡単に締め付けることができるように溝が設けられている。また、前記取付部材主体４１の雌ネジ部４６に対応した雄ネジ部４９が設けられている。前記座金５０はボルト部材４７の頭部４８と保持板３１との間に介在される。座金５０はボルト部材４７の頭部４８と保持板３１との間の摩擦を低減する。
【００３７】
次に本実施例に係る鋸１の組み立てについて説明する。図６に示すように、まず鋸刃２の後端部を前記１対の保持板３１の間に挿入する。鋸刃２に設けられた被係合部２２には係合部３３を係合させる。鋸刃２の取付用孔２１は、柄部３の保持用孔３２の位置に合わせる。次に図６の図示右側から、取付部材主体４１を嵌合させる。鋸刃２の取付用孔２１には角度変更用突起４４を嵌合し、保持板３１の保持用孔３２には保持用突起４３を嵌合する。図６の図示左側から、ボルト部材４７を取付部材主体４１に螺合する。座金５０はボルト部材４７の頭部４８と保持板３１との間に介在させる。ボルト部材４７を螺入していき、保持板３１と鋸刃２との間のガタが少なくなるように、かつ、取付部材主体４１が保持板３１に対して回動できる程度に取付部材４を締め付ける。
【００３８】
次に本実施例に係る鋸１の使用について説明する。まず図１（ａ）に示すように、取付部材４の回動操作部４５を図示下方に向けた状態とする。この状態では図７に示すように、鋸刃２の取付用孔２１は柄部３の保持用孔３２に対して図示下方に位置する。この位置は柄部３の係合部３３から最も離れた位置でもある。この状態から回動操作部４５を鋸１の前方向に向けて回動を開始する。図１０は図７の取付部材４を拡大した図である。図１０において、取付部材４は保持用突起４３を軸として回動する。保持用突起４３に対して偏心した角度変更用突起４４の中心（黒丸で示した位置）は、偏心量（約１ｍｍ）を半径とする円の軌跡（図１０において、曲率半径の小さい円軌跡）を描きながら前方に移動する。一方、角度変更用突起４４は鋸刃２の取付用孔２１に嵌合しているため、鋸刃２が回動し、取付用孔２１が保持用孔３２に対して前方に移動する。ここで鋸刃２の被係合部２２は係合部３３と係合しているため、鋸刃２の取付用孔２１の中心（黒丸で示した位置）は係合部３３を中心とした円の軌跡（図１０において、曲率半径の大きい円軌跡）描くように前方に移動しようとする。しかし、鋸刃２の動きは角度変更用突起４４に規制される。従って、鋸刃２が回動することと、係合部３３と被係合部２２とが摺動することにより、鋸刃２の取付用孔２１は係合部３３に漸次接近しながら、角度変更用突起４４と同じ軌跡（図１０において、曲率半径の小さい円軌跡）を描いて移動する。
【００３９】
図８は取付部材４を約９０度前方に回動させた状態を示す。鋸刃２の取付用孔２１は柄部３の保持用孔３２に対して最も前方の位置にある。図１１は図８の取付部材４を拡大した図である。角度変更用突起４４の中心と鋸刃２の取付用孔２１の中心は同じ位置に移動する（図１１の黒丸で示した位置。）。また、図１１では図１０と比較して、係合部３３が被係合部２２の深い位置で係合しており、鋸刃２の取付用孔２１は係合部３３に接近している。また図１１では、図１０と比較して鋸刃２の取付用孔２１は前方に移動しており、その移動量は取付部材４の保持用突起４３に対する角度変更用突起４４の偏心量（約１ｍｍ）に略等しい。鋸刃２の取付用孔２１が柄部３の保持用孔３２に対して移動するように鋸刃２が回動するため、鋸刃２の取付角度が変化する。図１（ｂ）の取付角度θ２は図１（ａ）の取付角度θ１に対して約３度変化（減少）している。ここでは取付部材４を９０度回動させたが、それ以下の任意の角度で回動させてもよい。また、９０度以上回動させてもよい。但し、９０度以上の回動は、係合部３３が被係合部２２の最も深い位置まで摺動したところで制限される。
【００４０】
次に取付部材４を後方に回動させる場合について説明する。まず図１（ａ）に示すように、取付部材４の回動操作部４５を図示下方に向けた状態とする。この状態では図７に示すように、鋸刃２の取付用孔２１は柄部３の保持用孔３２に対して図示下方に位置する。この状態から回動操作部４５を鋸１の後方向に向けて回動を開始する。図１０において、取付部材４は保持用突起４３を軸として回動する。前方に回動させた場合と同様に、保持用突起４３に対して偏心した角度変更用突起４４の中心（黒丸で示した位置）は、偏心量（約１ｍｍ）を半径とする円の軌跡（図１０において、曲率半径の小さい円軌跡）を描きながら後方に移動する。一方、角度変更用突起４４は鋸刃２の取付用孔２１に嵌合しているため、鋸刃２が回動し、取付用孔２１が保持用孔３２に対して後方に移動する。ここで鋸刃２の被係合部２２は係合部３３と係合しているため、鋸刃２の取付用孔２１の中心（黒丸で示した位置）は係合部３３を中心とした円の軌跡（図１０において、曲率半径の大きい円軌跡）描くように後方に移動しようとする。しかし、鋸刃２の動きは角度変更用突起４４に規制される。従って、鋸刃２が回動することと、係合部３３と被係合部２２とが摺動することにより、鋸刃２の取付用孔２１は係合部３３に漸次接近しながら、角度変更用突起４４と同じ軌跡（図１０において、曲率半径の小さい円軌跡）を描いて移動する。
【００４１】
図９は取付部材４を約９０度後方に回動させた状態を示す。鋸刃２の取付用孔２１は柄部３の保持用孔３２に対して最も後方の位置にある。図１２は図９の取付部材４を拡大した図である。角度変更用突起４４の中心と鋸刃２の取付用孔２１の中心は同じ位置に移動する（図１２の黒丸で示した位置。）。また、図１２では図１０と比較して、係合部３３が被係合部２２の深い位置で係合しており、鋸刃２の取付用孔２１は係合部３３に接近している。また図１２では、図１０と比較して鋸刃２の取付用孔２１は後方に移動しており、その移動量は取付部材４の保持用突起４３に対する角度変更用突起４４の偏心量（約１ｍｍ）に略等しい。鋸刃２の取付用孔２１が柄部３の保持用孔３２に対して移動するように鋸刃２が回動するため、鋸刃２の取付角度が変化する。図１（ｃ）の取付角度θ３は図１（ａ）の取付角度θ３に対して約３度変化（増加）している。ここでは取付部材４を９０度回動させたが、それ以下の任意の角度で回動させてもよい。また、９０度以上回動させてもよい。但し、９０度以上の回動は、係合部３３が被係合部２２の最も深い位置まで摺動したところで制限される。
【００４２】
また、鋸刃２の取付角度を変化させた状態で、鋸刃２に外力が作用した場合は、鋸刃２の取付角度を変化させる力が発生する（例えば、鋸刃２を被切断対象部材に当てて切断する場合は、取付角度を減じる方向の外力が作用する。）。鋸刃２の取付角度を変化させる力は、係合部３３及び取付部材４に作用する。このうち取付部材４に作用する力は取付部材４を回動させるモーメントを生じさせる。しかし、角度変更用突起４４に作用する力は、作用線が取付部材４の回転軸である保持用突起４３の中心付近を通るため、取付部材４を回動させるモーメントは小さい。また、取付部材４を回動させることができる程度に取付部材４を締め付けた状態とすることにより、取付部材４と柄部３との間に摩擦力が生じて、前記モーメントを打ち消す作用を生じる。
【００４３】
図１０に示すように、取付用孔２１の移動方向が保持用孔３２の中心と係合部３３とを結ぶ直線に対して直交する方向の場合に、取付部材主体４１の回動操作に対する鋸刃２の取付角度の変化率が大きい。従って、回動操作部４５が図示下方に向いた状態では鋸刃２の取付角度の変化率は大きい。しかし、回動操作部４５を回動させるに従って、鋸刃２の取付角度の変化率は小さくなる。このため、鋸刃２の取付角度の変化率は取付部材主体４１が図示下方にある場合に大きく、取付部材主体４１を前方、後方にそれぞれ略９０度回動させた場合に鋸刃２の取付角度の変化率は小さくなる。
【００４４】
この実施の形態では以下の効果を有する。
【００４５】
（Ａ）鋸刃２は被係合部２２と取付用孔２１とで保持されており、取付部材４の回動により取付用孔２１の位置が変化するため、鋸刃２は係合部３３を中心として回動し、柄部３に対する鋸刃２の取付角度を変化させることができる。
【００４６】
（Ｂ）鋸刃２に作用する外力は、取付部材４を回動させる回転モーメントを僅かしか発生させず、また、取付部材４と柄部３との間の摩擦力により、前記回転モーメントが打ち消される。従って、取付部材４を回動させることができる程度に取付部材４を締め付けることにより、柄部３に対する鋸刃２の取付角度を一定に保つことができる。また、鋸刃２の取付角度を変更する度に取付部材４を緩めたり、締め付けたりする操作が不要であるため、迅速に鋸刃２の取付角度を変更することができる。
【００４７】
（Ｃ）取付部材主体４１とボルト部材４７とは、取付部材主体４１を回動できる程度に緩めておくことができるため、取付部材主体４１とボルト部材４７とが同じ方向に回動する（「とも回り」する）。このため、鋸刃２の取付角度を変更する度に取付部材主体４１とボルト部材４７とを緩めたり締めたりする作業が不要である。
【００４８】
（Ｄ）取付部材主体４１とボルト部材４７とは、取付部材主体４１を回動させることができる程度に締め付ければよいため、軽い操作力で取付部材４を回動して鋸刃２の取付角度を変更することができる。
【００４９】
（Ｅ）取付部材４の回動操作の角度により、鋸刃２の取付角度の変化量を増減することができる。取付部材４の回動操作の角度は、任意の角度とすることができるため、鋸刃２の取付角度も一定の範囲内で無段階に任意に変化させることができる。
【００５０】
（Ｆ）鋸刃２の取付角度を変更する度に取付部材主体４１とボルト部材４７とを緩めたり締めたりする作業が不要であり、取付部材主体４１を回動操作するだけで鋸刃２の取付角度を変更することができるため、片手で鋸刃２の取付角度を変更することができる。また、鋸１の前から見て右側に取付部材主体４１を配置したため（図６参照。）、右手で柄部３を把持したまま、左手で取付部材主体４１を回動操作して鋸刃２の取付角度を変更することができる。
【００５１】
（Ｇ）保持用孔３２に対する取付用孔２１の移動方向を、保持用孔３２の中心と係合部３３とを結ぶ直線に対して直交する方向を含むようにしたため、取付部材主体４１の回動操作に対する鋸刃２の取付角度の変化率が大きく、鋸刃２の取付角度を迅速に変更することができる。
【００５２】
なお、実施の形態は上記に限定されるものではなく、例えば以下のように変更してもよい。
【００５３】
鋸刃２の取付用孔２１は円形に限定されず、取付部材４の角度変更用突起４４が回動自在に嵌合できるものであればよい。
【００５４】
柄部３の保持用孔３２は円形に限定されず、取付部材４の保持用突起４３が回動自在に嵌合できるものであればよい。
【００５５】
保持用突起４３の形状は断面が円形に限定されず、柄部３の保持用孔３２に回動自在に嵌合できるものであればよい。
【００５６】
角度変更用突起４４の形状は断面が円形に限定されず、鋸刃２の取付用孔２１に回動自在に嵌合できるものであればよい。
【００５７】
被係合部２２の形状は、前記取付用孔２１の方向に向けて切り欠かれたスリット状に限定されない。取付用孔２１の方向に向けて切り欠かれていなくても、係合部３３が摺動して係合部３３と取付用孔２１との距離が増減するように係合すればよく、被係合部２２の幅は一定でなくてもよい。
【００５８】
係合部３３は被係合部２２に対して係合離脱自在である構成に限定されない。係合部３３と被係合部２２とが回動自在に係合され、係合部３３と取付用孔２１との距離が増減する方向に摺動自在となるように係合される構成であればよい。
【００５９】
取付部材４の座金５０は必ずしも必要ではない。また、鋸刃２を保持するために柄部３を締め付けることができれば、柄部３を締め付ける手段として雄ネジと雌ネジとを螺合させて締め付ける手段に限定されない。例えば、取付部材主体４１に軸部を設け、その軸を柄部３と鋸刃２に貫通させ、反対側においてカシメ止めする手段を用いてもよい。
【００６０】
上記実施例から把握できる請求項記載以外の発明について、以下にその効果とともに記載する。
【００６１】
請求項１から４のいずれか１項に記載の鋸１において、鋸刃２の被係合部２２に係合離脱自在の係合部３３を設ける。この場合、取付部材４は柄部３の保持用孔３２と鋸刃２の取付用孔２１とを貫通しており、鋸刃２は柄部３に対して回動自在に取り付けられているため、鋸刃２の被係合部２２から係合部３３を離脱させることによって、鋸刃２を柄部３に対して回動させて折り畳むことができる。
【図面の簡単な説明】
【００６２】
【図１】取付部材４の回動操作部４５の位置と鋸刃２の取付角度との関係を説明する、一部を省略した側面図である。
【図２】鋸刃２の一部を省略した側面図である。
【図３】柄部３の一部を省略した側面図である。
【図４】取付部材主体４１の一部を省略した拡大正面図である。
【図５】図４の５−５線における一部を省略した断面図である。
【図６】図１の６―６線における一部を省略した拡大断面図である。
【図７】図１の（ａ）における、取付用孔２１と保持用孔３２の位置関係を説明する、一部を省略した拡大簡略図である。
【図８】図１の（ｂ）における、取付用孔２１と保持用孔３２の位置関係を説明する、一部を省略した拡大簡略図である。
【図９】図１の（ｃ）における、取付用孔２１と保持用孔３２の位置関係を説明する、一部を省略した拡大簡略図である。
【図１０】図７における、取付用孔２１、保持用孔３２及び取付部材主体４１の位置関係と、係合部３３、被係合部２２の位置関係を説明する、一部を省略した拡大簡略図である。
【図１１】図８における、取付用孔２１、保持用孔３２及び取付部材主体４１の位置関係と、係合部３３、被係合部２２の位置関係を説明する、一部を省略した拡大簡略図である。
【図１２】図９における、取付用孔２１、保持用孔３２及び取付部材主体４１の位置関係と、係合部３３、被係合部２２の位置関係を説明する、一部を省略した拡大簡略図である。
【符号の説明】
【００６３】
１        鋸
２        鋸刃
２１      取付用孔
２２      被係合部
３        柄部
３１      保持板
３２      保持用孔
３３      係合部
３４      係合部操作体
３５      支点部材
３６      バネ部材
４        取付部材
４１      取付部材主体
４２      基体
４３      保持用突起
４４      角度変更用突起
４５      回動操作部
４６      雌ネジ部
４７      ボルト部材
４８      ボルト部材の頭部
４９      雄ネジ部
５０      座金
【図１】
2005313470.tif 000003
【図２】
2005313470.tif 000004
【図３】
2005313470.tif 000005
【図４】
2005313470.tif 000006
【図５】
2005313470.tif 000007
【図６】
2005313470.tif 000008
【図７】
2005313470.tif 000009
【図８】
2005313470.tif 000010
【図９】
2005313470.tif 000011
【図１０】
2005313470.tif 000012
【図１１】
2005313470.tif 000013
【図１２】
2005313470.tif 000014